(57)【特許請求の範囲】
【請求項１】
基板を収容したケースと、前記ケースに取付けられて前記基板に接続される端子ブロックとからなり、前記端子ブロックの両端部を前記ケースの両端部に着脱可能に取付けるケースと端子ブロックの着脱構造において、
前記ケースの一側端部に係合凹部を形成し、
前記端子ブロックの一側端部に前記ケースの係合凹部と係合可能な係合凸部を形成し、
前記ケースの他側端部に係合孔を形成し、
前記端子ブロックの他側端部に前記係合孔と係合又は係合解除可能な係合レバーを設けたケースと端子ブロックの着脱構造であって、
前記係合レバーは、一側端部に前記ケースの係合孔に係合する係止爪が形成され、略中央部が前記係止爪を前記ケースの係合孔に係合させるばね力を有して回動可能に支持され、他側端部に前記ばね力に抗して前記係止爪と係合孔との係合を解除する係合解除部が形成されており、前記係合凸部は、その先端側から基端側まで切り込み部が設けられて片持の形状に形成され湾曲可能となっていることを特徴とするケースと端子ブロックの着脱構造。
【請求項２】
基板を収容したケースと、前記ケースに取付けられて前記基板に接続される端子ブロックとからなり、前記端子ブロックの両端部を前記ケースの両端部に着脱可能に取付けるケースと端子ブロックの着脱構造において、
前記ケースの一側端部に係合凹部を形成し、
前記端子ブロックの一側端部に前記ケースの係合凹部と係合可能な係合凸部を形成し、
前記ケースの他側端部に係合孔を形成し、
前記端子ブロックの他側端部に前記係合孔と係合又は係合解除可能な係合レバーを設けたケースと端子ブロックの着脱構造であって、
前記係合レバーは、一側端部に前記ケースの係合孔に係合する係止爪が形成され、略中央部が前記係止爪を前記ケースの係合孔に係合させるばね力を有して回動可能に支持され、他側端部に前記ばね力に抗して前記係止爪と係合孔との係合を解除する係合解除部が形成されており、前記ケースに前記端子ブロックを係合させる開口部から前記係合凹部の手前近傍まで切り込み部が設けられて当該開口部から前記係合凹部の手前近傍まで湾曲可能としたことを特徴とするケースと端子ブロックの着脱構造。
【請求項３】
基板を収容したケースと、前記ケースに取付けられて前記基板に接続される端子ブロックからなり、前記端子ブロックの両端部を前記ケースの両端部に着脱可能に取付けるケースと端子ブロックの着脱構造において、
前記端子ブロックの両端面に着脱可能に係止する係止レバーを前記ケースの両端部にそれぞれ設け、
前記端子ブロックの両端面に前記係止レバーと係合する係合部を形成したケースと端子ブロックの着脱構造であって、
前記ケースの一側端面に設けられた係止レバーは、
先端部に前記端子ブロックの一側端面に形成された係合凹部に係合する係止爪が形成され、
基端部は前記係止爪を前記端子ブロックの一側端面に沿って回動可能とするように支持され、
前記ケースの他側端面に設けられた係止レバーは、
先端部に前記端子ブロックの他側端面に形成された係合凹部に係合する係止爪が形成され、
略中央部が前記係止爪を前記端子ブロックの端面に沿って回動可能とするように支持され、
基端部が前記ケースに形成されたストッパに係止可能とされ、前記係止爪が前記係合凹部に係合した状態に保持されることを特徴とするケースと端子ブロックの着脱構造。
【発明の詳細な説明】
【技術分野】
【０００１】
本発明は、基板を収容するケースと、前記基板の端子と接続する端子ブロックの着脱構造に関する。
【背景技術】
【０００２】
電子機器の基板を収容するケースに該基板の端子（エッジ・コネクタ）と接続するスロット部（エッジ・コネクタ・ソケット）を備えた端子ブロックを着脱可能に固定する構造として、従来からねじ止め式、或いはレバー式の構造が用いられている。
【０００３】
ねじ止め式の着脱構造は、基板を収容するケースの端子ブロックの取付面に形成されている取付け穴に端子ブロックのスロット部を挿入し、端子ブロック本体の両端部をねじにより前記ケースに着脱可能に固定するものである。
【０００４】
また、レバー式の着脱構造は、端子ブロックの両端部にスナップフィットタイプの係止レバーを一体に形成し、ケースの取付け穴の両端に係合凹部を形成したものがある。レバーは、端子ブロックの端面に沿って形成されており、基端部が端子ブロックの端部に連設され、先端に係止爪が形成され、略中央に係合解除部（押圧用の凸部）が形成されている。
【０００５】
端子ブロックをケースに取り付けるときには、両端部の係合解除部を指先で押して係止爪を内方に押し込み、ケースに装着した後押圧力を解除して係止爪をケースの係合凹部に係合させて固定する。ケースから端子ブロックを取り外すときには、両端部の係合解除部を押して係止爪を内方に押し込み、ケースの係合凹部との係合を解除して手前に引き出す。
【０００６】
また、基板のカードエッジ端子に差し込み接続される構造の端子台コネクタ本体からなるカードエッジタイプの端子台コネクタにおいて、端子台コネクタ本体の裏面にスライド可能なスライダを設け、このスライダのスライド移動によりケースと端子台コネクタ本体との固定ロックおよびその固定ロック解除を行うようにした構造も提案されている（例えば、特許文献１参照）。
【特許文献１】特開２００２−２０３６１６号公報（４頁、図１）
【発明の開示】
【発明が解決しようとする課題】
【０００７】
しかしながら、ねじ止め式の着脱構造は、取付けや取外しのためにドライバ等の工具が必要となり、手間が掛かる。また、端子ブロックのスペースが大きくなるという問題がある。また、レバー式の着脱構造は、端子ブロック側にレバーを形成するために端子ブロックのスペースが大きくなるという問題がある。
【０００８】
また、特許文献１に記載されている構造は、端子コネクタ本体を取り外す場合、スライダを移動させてケースとの固定ロックを解除し、次いで、ケースから端子コネクタ本体を引き出すという二つの操作（２アクション）が必要となり操作性が悪い。また、スライダを押した状態では装着できないために慣れていないと操作し難い。更に、端子コネクタ本体のスペースが大きくなる。
【０００９】
本発明の目的は、基板を収容するケースとこのケースに取付けられて基板の端子に接続する端子ブロックの着脱する際の操作性が良く、かつ省スペース化が可能なケースと端子ブロックの着脱構造を提供することにある。
【課題を解決するための手段】
【００１０】
上述した課題を解決するために、本発明の請求項１に係るケースと端子ブロックの着脱構造は、
基板を収容したケースと、前記ケースに取付けられて前記基板に接続される端子ブロックとからなり、前記端子ブロックの両端部を前記ケースの両端部に着脱可能に取付けるケースと端子ブロックの着脱構造において、
前記ケースの一側端部に係合凹部を形成し、
前記端子ブロックの一側端部に前記ケースの係合凹部と係合可能な係合凸部を形成し、
前記ケースの他側端部に係合孔を形成し、
前記端子ブロックの他側端部に前記係合孔と係合又は係合解除可能な係合レバーを設けたケースと端子ブロックの着脱構造であって、
前記係合レバーは、一側端部に前記ケースの係合孔に係合する係止爪が形成され、略中央部が前記係止爪を前記ケースの係合孔に係合させるばね力を有して回動可能に支持され、他側端部に前記ばね力に抗して前記係止爪と係合孔との係合を解除する係合解除部が形成されており、前記係合凸部は、その先端側から基端側まで切り込み部が設けられて片持の形状に形成され湾曲可能となっていることを特徴としている。
【００１１】
ケースに端子ブロックを取り付ける場合、ケースの一側端部に形成されている係合凹部又は係合凸部に端子ブロックの一側端部に形成されている係合凸部又は係合凹部を係合させ、次いで、この係合部を回動支点として端子ブロックをケース側に回動させてケースの他端部に端子ブロックの他端部を当接させ、当該端子ブロックの他端部に形成されている係合レバーをケースの係合孔に係合させる。これにより、ケースに端子ブロックを取り付けることができる。
【００１２】
ケースから端子ブロックを取外す場合、端子ブロックの他側端部の係合レバーとケースの係合孔との係合を解除し、ケースの一側端部と端子ブロックとの係合部を支点として端子ブロックを手前側に回動させ手引き出しながらケース他側と端子ブロックの他側の係合を解除する。これにより、ケースから端子ブロックを一回の操作（１アクション）で取り外すことができる。
【００１４】
また、端子ブロックの係止爪は、ケースに端子ブロックを取付けた状態において係合レバーの先端部の係止爪がばね力によりケースの係合孔に係合している。これにより、係合レバーの係止爪と係合孔との係合が保持される。係止爪と係合孔との係合を解除する場合には係合レバーの係合解除部をばね力に抗して押動すると、先端部の係止爪がケースの係合孔から外れて係合が解除される。これにより、ケースと端子ブロックとの係合が解除される。
【００１５】
また、本発明の請求項２に係るケースと端子ブロックの着脱構造は、
基板を収容したケースと、前記ケースに取付けられて前記基板に接続される端子ブロックとからなり、前記端子ブロックの両端部を前記ケースの両端部に着脱可能に取付けるケースと端子ブロックの着脱構造において、
前記ケースの一側端部に係合凹部を形成し、
前記端子ブロックの一側端部に前記ケースの係合凹部と係合可能な係合凸部を形成し、
前記ケースの他側端部に係合孔を形成し、
前記端子ブロックの他側端部に前記係合孔と係合又は係合解除可能な係合レバーを設けたケースと端子ブロックの着脱構造であって、
前記係合レバーは、一側端部に前記ケースの係合孔に係合する係止爪が形成され、略中央部が前記係止爪を前記ケースの係合孔に係合させるばね力を有して回動可能に支持され、他側端部に前記ばね力に抗して前記係止爪と係合孔との係合を解除する係合解除部が形成されており、前記ケースに前記端子ブロックを係合させる開口部から前記係合凹部の手前近傍まで切り込み部が設けられて当該開口部から前記係合凹部の手前近傍まで湾曲可能としたことを特徴としている。
【００１８】
また、本発明の請求項３に係るケースと端子ブロックの着脱構造は、
基板を収容したケースと、前記ケースに取付けられて前記基板に接続される端子ブロックからなり、前記端子ブロックの両端部を前記ケースの両端部に着脱可能に取付けるケースと端子ブロックの着脱構造において、
前記端子ブロックの両端面に着脱可能に係止する係止レバーを前記ケースの両端部にそれぞれ設け、
前記端子ブロックの両端面に前記係止レバーと係合する係合部を形成したケースと端子ブロックの着脱構造であって、
前記ケースの一側端面に設けられた係止レバーは、
先端部に前記端子ブロックの一側端面に形成された係合凹部に係合する係止爪が形成され、
基端部は前記係止爪を前記端子ブロックの一側端面に沿って回動可能とするように支持され、
前記ケースの他側端面に設けられた係止レバーは、
先端部に前記端子ブロックの他側端面に形成された係合凹部に係合する係止爪が形成され、
略中央部が前記係止爪を前記端子ブロックの端面に沿って回動可能とするように支持され、
基端部が前記ケースに形成されたストッパに係止可能とされ、前記係止爪が前記係合凹部に係合した状態に保持されることを特徴としている。
【００１９】
ケースに端子ブロックを取り付ける場合、ケースの両端部の係止レバーを端子ブロックの両端面に設けた係合部に係合させてケースに端子ブロックを取り付ける。ケースから端子ブロックを取り外す場合、ケースの両端部の係止レバーと端子ブロックの両端面の係合部との係合を解除する。これにより、ケースから端子ブロックを取り外すことができる。
【００２１】
また、ケースに端子ブロックを取り付ける場合、ケースの一側端面に設けられた係止レバーは、基端部を回動支点として先端部の係止爪を端子ブロックの一側端面に沿って回動させて端子ブロックの一側端面に形成されている係合凹部に係合させる。ケースの他側端面に設けられた係止レバーは、略中央部を回動支点として先端部の係止爪を端子ブロックの他側端面に沿って回動させて端子ブロックの他側端面に形成されている係合凹部に係合させる。この状態において、係止レバーの基端部がケースのストッパにより係合位置に保持され、係止爪が係合凹部から外れることが防止される。
【００２２】
また、ケースから端子ブロックを取り外す場合、ケースの一側端部に設けられた係止レバーを取付け時と反対方向に回動させて先端部の係止爪と端子ブロックの一側端面の係合凹部との係合を解除させる。同様にケースの他側端面に設けられた係止レバーを取付け時と反対方向に回動させて、係止爪と端子ブロックの他側端面の係合凹部との係合を解除する。この状態において、係止レバーの基端部がケースのストッパから離隔して規制が解除される。
【発明の効果】
【００２６】
本発明によると、ケースの一側端部に係合凹部又は係合凸部の何れか一方を形成し、端子ブロックの一側端部にケースの係合凹部又は係合凸部と係合可能な係合凸部又は係合凹部の何れか一方を形成し、ケースの他側端部に係合孔を形成し、端子ブロックの他側端部に係合孔と係合又は係合解除可能な係合レバーを設けたことにより、ケースと端子ブロックとの着脱の際に工具を使用する必要が無く、しかも一回の操作（１アクション）で行うことが可能であり、作業性の向上が図られる。また、ケース側は、端子ブロックを固定するために必要なスペースが係止レバー部のみであるためデッドスペースが少なくなり、表示スペース等を広く取ることが可能となる。
【発明を実施するための最良の形態】
【００２７】
以下、本発明に関連する実施形態に係るケースと端子ブロックの着脱構造を図面に基づいて説明する。図１は本発明に係るケースと端子ブロックの着脱構造を適用した、例えばモジュール型コントローラのケースと端子ブロックの取付部の側面図を示す。
【００２８】
ケース１は、縦長薄型の直方体形状の箱体をなすように構成されており、図示しない左側の端部が開口されて基板の入出が可能とされ（図７参照）、右側の端部が端面１ａとされている。そして、この端面１ａに図４に示すように長手方向（図の上下方向）に沿って端子ブロック２を取付けるための取付け穴１ｂが形成されている。そして、ケース１内には図示しない基板が収容されている。基板は、例えば両面基板とされ両面にそれぞれ電気回路が設けられており、一側（ケース１の端板１ａ側）の両面にそれぞれ端子（エッジ・コネクタ）が複数並設して形成されており、前記電気回路が対応する端子に接続されている。この基板は、前記一側の両面に複数並設された端子が取付け穴１ｂに臨んで収容されている。尚、本実施の形態では取付け穴１ｂの図中上下両端部をケースの両端部と称する。
【００２９】
図１及び図２に示すように端子ブロック２は、縦長の直方体形状をなしており、ケース１の端面１ａよりも幅狭かつ短く形成されており、ケース１の取付け穴１ｂに取付ける側（以下「内側」という）に図４に示すように長手方向に沿ってスロット部（エッジ・コネクタ・ソケット）２Ａが形成され、外側にねじ端子部２Ｂと２Ｃが並んで一体に形成されている。そして、スロット部２Ａは、ねじ端子部２Ｂ，２Ｃよりも僅かに幅狭かつ短く形成されている。
【００３０】
スロット部２Ａは、前記基板の一側と対向する端面に前記端子が挿入されるスリットが形成されており、当該スリットの内側の両面にそれぞれ前記基板の一側の両面に形成された各端子と接続する端子が形成されている。
【００３１】
ねじ端子部２Ｂ，２Ｃは、それぞれ複数のねじ端子２ｂ，２ｃが長手方向に沿って所定の間隔（ピッチ）で形成されている。ねじ端子２ｂとねじ端子２ｃは、長手方向（図の上下方向）に沿って半ピッチずれて配置されており、ねじ端子部２Ｂの両端部（図の上下両端部）がねじ端子２Ｃの両端部（上下両端部）よりも半ピッチ分だけ上側（一側）に位置して段差をなしている。従って、これに応じてスロット部２Ａも上下の端面が段差をなしている。ねじ端子部２Ｂ、２Ｃの下面（他側面）２Ｄは図１に示すように面一とされている。そして、図４に示すようにスロット部２Ａの下面２ｄとねじ端子部２Ｂ，２Ｃの下面２Ｄとの段差がケース１の下板（取付け穴１ｂの下側開口端）の板厚と同じ高さとされている。
【００３２】
そして、ねじ端子部２Ｂの各ねじ端子２ｂがスロット部２Ａの一側内面に形成されている対応する端子に接続され、ねじ端子部２Ｃの各ねじ端子２ｃがスロット部２Ａの他側内面に形成されている対応する接続端子に接続されている。
【００３３】
前述したケース１の端面１ａの取付け穴１ｂは、端子ブロック２のスロット部２Ａが僅かな隙間を存して挿入可能とされ、図１に示すように端子ブロック２の下端面２Ｄがケース１の下端面１ｄと面一をなし、一側のねじ端子部、例えばねじ端子部２Ｂの側面が図２に示すようにケース１の一側の側面と面一をなすように形成されている。尚、本実施の形態ではねじ端子部２Ｂ，２Ｃの図中上下両端部を端子ブロックの両端部と称する。
【００３４】
また、取付け穴１ｂの上下の端面は、対応するスロット部２Ａの上下の端面の段差に応じて段差をなしている。そして、スロット部２Ａが取付け穴１ｂに挿入された状態においてねじ端子部２Ｂ、ねじ端子部２Ｃの周縁部のスロット部２Ａ側の面（下面）が取付け穴１ｂの周縁部に当接する。これにより、取付け穴１ｂが端子ブロック２により塞がれる。
【００３５】
端子ブロック２は、図４に示すようにスロット部２Ａの上端面（一側端面）２ｅの先端部に図の上方に向けて係合凸部２ｆが突出して形成されている。この係合凸部２ｆは、スロット部２Ａの上面全幅に設けてもよく、或いはねじ端子部２Ｂ又は２Ｃ側の何れか一側に設けても良い。また、図１に示すようにねじ端子部２Ｂ，２Ｃの下面２Ｄのスロット部２Ａの下面２ｄとの連設部に係合レバー３が設けられている。
【００３６】
係合レバー３は、図３に示すように先端部に係止爪３ａがスロット部２Ａの下面２ｄに向かって内方に突出するように形成され、後端部に係合解除部３ｂ（凸部）がねじ端子部２Ｂ及び２Ｃの下端面２Ｄに対して外方（下方）に突出するように形成されている。係止爪３ａの上面３ｃは、後端面から先端部までテーパ状に傾斜して形成されている。また、係止部としての後端面３ｄの高さは、ケース１の取り付け穴１ｂの下側開口端の板厚と略同じ或いは僅かに低く形成されている。この係合レバー３は、略中央近傍が軸４に回動可能に軸支されている。軸４は、両端部がねじ端子部２Ｂ，２Ｃの外側下端部に下方に突出して形成された軸受部２Ｅ，２Ｆに軸支されている。この係合レバー５は、スロット部２Ａと同じ幅とされている。
【００３７】
軸４には、図示しないばねが設けられており、その一端が係合レバー３の係合解除部３ｂ側の内側面に係止され、他端がねじ端子部２Ｂ，２Ｃの下面２Ｄに係止されている。係合レバー３は、通常の状態においては前記ばねのばね力により図３に実線で示すように係止爪３ａの先端がスロット部２Ａの下面２ｄに当接し、係合解除部３ｂがねじ端子部２Ｂ，２Ｃの下面２Ｄから離隔している。そして、ばね力に抗して係合解除部３ｂを矢印方向（反時計方向）に回動させて点線で示すように係合レバー３の係合解除部３ｂを下面２Ｄに当接させた状態において先端の係止爪３ａがスロット部２Ａの下面２ｄからケース１の取付け穴１ｂの下面から僅かに離隔する。
【００３８】
ケース１には図４に示すように取付け穴１ｂの上面１ｅの奥部に端子ブロック２のスロット部２Ａの係合凸部２ｆと係合するための係合凹部１ｆが形成されている。また、取付け穴１ｂの下面には係合レバー３の係止爪３ａと対応する位置に係合孔１ｇが設けられている。
【００３９】
そして、端子ブロック２及びケース１の取付け穴１ｂの互いに対応する一端即ち、ケース１の係合孔１ｂに形成された係合凹部１ｆと端子ブロック２のスロット部２Ａに形成された係合凸部２ｆとにより、第１の係合部を形成している。第１の係合部は、端子ブロック２及び取付け穴１ｂのそれぞれに固定的に形成された形状部分即ち、係合凸部２ｆと係合凹部１ｆ同士が機械的に干渉することで係合する。また、端子ブロック２の他端に設けられた係合レバー３とケース１の他端に形成された係合孔１ｇとにより第２の係合部を形成している。第２の係合部は、端子ブロック２及び取付け穴１ｂのいずれか一方（端子ブロック２）に可動的に形成された形状部分即ち、係合レバー３が、他方（ケース１）に固定的に形成された形状部分即ち、係合孔１ｇに機械的に干渉することで係合する。
【００４０】
次に、ケース１に端子ブロック２を着脱する手順について説明する。ケース１に端子ブロック２を装着する場合には、作業者が端子ブロック２の上下両端部を図示しない片方の手の指先、例えば親指と中指で掴み、図４に示すようにケース１の取付け穴１ｂの上部に端子ブロック２のスロット部２Ａの上部を図中斜め下方から挿入し、スロット部２Ａの係合凸部２ｆを係合凹部１ｆに係合する。次いで、係合凸部２ｆと係合凹部１ｆとの係合部を支点として端子ブロック２を矢印で示すようにケース１側に向けて回動し、スロット部２Ａを取付け穴１ｂ内に押し込む。
【００４１】
係合レバー３の係止爪３ａの上面３ｃは、図３に示すようにテーパ状をなしていることで、この上面３ｃが取付け穴１ｂの下側の開口端面により図３に点線で示すように外方に押されてケース１の下面１ｄを摺動しながら移動し、係合孔１ｇに係合する。この場合、作業者が例えば親指を係合レバー３の係合解除部３ｂに当て、中指を上端部に当てて掴み、親指で係合レバー３の係合解除部３ｂを押して図３に点線で示すように回動させて係合孔１ｇに係合させるようにしても良い。このようにして、図４に点線で示すようにケース１に端子ブロック２を取り付ける。そして、ケース１に端子ブロック２を取り付けた状態において、端子ブロック２の端子がケース１内に収容されている前記基板の端子に電気的に接続される。
【００４２】
ケース１から端子ブロック２を取り外す場合には、作業者が端子ブロック２の上下両端部を図示しない片方の手の指先、例えば親指を係合レバー３の係合解除部３ｂに当て、中指を上端面に当てて掴み、係合解除部３ｂを押して図１に矢印で示すように係合レバー３を回動させて係止爪３ａと係合孔１ｇとの係合を解除する。そして、係合解除部３ｂに指先を引っ掛けた状態で図４に実線で示すように端子ブロック２の下端部を取付け穴１ｂから引き出す。
【００４３】
次いで、端子ブロック２を図４に実線で示す状態から斜め下方に引き下げながら上端部の係合凸部２ｆを取付け穴１ｂの係合凹部１ｆから引き出して係合を解除する。次いで、取付け穴１ｂからスロット部２Ａを引き出す。これにより、ケース１から端子ブロック２を取り外すことができる。そして、ケース１から端子ブロック２を取り外したときに端子ブロック２の端子とケース１内に収容されている前記基板の端子との電気的な接続が解除される。
【００４４】
尚、上記実施形態においては端子ブロック２のスロット部２Ａ側に係合凸部２ｆを形成し、ケース１の取付け穴１ｂ側に係合凹部１ｆを形成した場合について記述したが、これとは反対に端子ブロック２のスロット部２Ａ側に係合凹部を形成し、ケース１の取付け穴１ｂ側に係合凸部を形成しても良い。
【００４５】
図５は、本発明の第１の実施形態として、図４に示す端子ブロック２のスロット部２Ａに形成する係合凸部の変形例を示し、係合凸部２ｆの下方を先端側から基端側まで切り込み部（スリット）２ｈを設けて片持の形状（舌片状）に形成し湾曲可能としたものである。これにより、係合凸部２ｆとケース１の係合凹部１ｆとの係合がし易くなる。
【００４６】
また、図６は、本発明の第１の実施形態の変形例として、図４に示すケース１の取付け穴１ｂの変形例を示し、取付け穴１ｂの開口端上部の上方に開口端面から係合凹部１ｆの手前近傍まで切り込み部（スリット）１ｈを設けて開口端部の上部１ｂ’を湾曲可能としたものである。これにより、係合凸部２ｆと係合凹部１ｆとの係合がし易くなる。
【００４７】
図７乃至図９は、本発明の第２の実施形態に係るケースと端子ブロックの着脱構造を示す。尚、図１乃至図４に示した部材と同一部材には同一の符号を付して詳細な説明を省略する。図４に示す端子ブロック２のスロット部２Ａを挿入するためのケース１の取付け穴１ｂの開口部の上下両端部には図７に示すように係止爪５，６が設けられており、端子ブロック２の上下両端面を係止して固定するようになっている。尚、本実施の形態では取付け穴１ｂの図中上下両端部をケースの両端部と称する。
【００４８】
下端部（他側端部）の係止爪６は、図８に示すように前記ケース１の取付け穴の端子ブロック２のねじ端子部２Ｂ側に設けられている。この係止爪６は、基端部６ａがケース１の下面に形成された支持部１Ｅに回動可能に支持されており、先端部の内側、即ちねじ端子部２Ｂの下端面２Ｂ’の先端２Ｂ”側に突出するように係止爪部６ｂが形成されている。そして、この係止爪部６ｂは、図７及び図９に示すようにねじ端子部２Ｂの下端面２Ｂ'に下側かつ外側から適度の摩擦を有して先端２Ｂ”に係合するようになっている。
【００４９】
上端部（一側端部）の係止爪５は、前記取付け穴の端子ブロック２のねじ端子部２Ｃ側に設けられている。その他の構成は、係止爪６と同様である。この係止爪５の係止爪部５ｂは、図７及び図９に示すようにねじ端子部２Ｃの上端面２Ｃ'の外側から適度の摩擦を有して先端２Ｃ”に係合するようになっている。従って、これらの係止爪５，６は、ばね部材等が不要となる。
【００５０】
ケース１に端子ブロック２を取付ける場合、図８に示すように係止爪５，６を上端面２Ｃ，下端面２Ｂ’から離間した状態（外側に開いた状態）にする。次いで、ケース１の取付け穴に端子ブロック２のスロット部を挿入してねじ端子部２Ｂ及びねじ端子部２Ｃのスロット部側の端面を前記取付け穴の周縁部に当接する。次いで、係止爪６を下端面２Ｂ’側に近接するように（内側に向けて）回動させて図７及び図９に示すように係止爪部６ｂをねじ端子部２Ｂの下端面２Ｂ'の先端２Ｂ”に係合する。同様に、係止爪５を内側に回動させて係止爪部５ｂをねじ端子部２Ｃの上端面２Ｃ'の先端２Ｃ”に係合する。これにより、ケース１に端子ブロック２を簡単に固定することができる。
【００５１】
ケース１から端子ブロック２を取り外す場合、下側の係止爪６を下端面２Ｂ’から離間するように（外側に開いて）係止爪部６ｂをねじ端子部２Ｂの下端面２Ｂ’の先端２Ｂ”から外し、上側の係止爪５を外側に開いて係止爪部５ｂをねじ端子部２Ｃの上端面２Ｃ’の先端２Ｃ”から外す。これにより、ケース１から端子ブロック２を簡単に取り外すことができる。
【００５２】
図１０乃至図１３は、本発明に関連する実施形態に係るケースと端子ブロックの着脱構造を示す。尚、図１乃至図４に示した部材と同一部材には同一の符号を付して詳細な説明を省略する。図４に示す端子ブロック２のスロット部２Ａを挿入するためのケース１の取付け穴１ｂの開口部の上下両端部には図１０及び図１１に示すように係止レバー７，８が設けられており、端子ブロック２の上下両端面を係止して固定するようになっている。尚、本実施の形態では取付け穴１ｂの図中上下両端部をケースの両端部と称する。
【００５３】
下端部（他側端部）の係止レバー８は、図１１に示すように前記取付け穴の端子ブロック２のねじ端子部２Ｂ側に設けられている。この係止レバー８は、下方から見て略Ｌ字形状をなし、一側のレバー８ａがケース１の下面１ｄ側に位置し、他側のレバー８ｂが前記取付け穴の開口端からねじ端子部２Ｂの下端面２Ｂ’側に位置しており、軸受部８ｃが折曲部のレバー８ｂ側寄りに形成されている。そして、係止レバー８は、ケース１の下面１ｄと平行に回動可能に支持されている。係止レバー８のレバー８ｂの先端にはねじ端子部２Ｂの下端面２Ｂ’と対向する側に係合爪８ｄが形成されている。
【００５４】
一方、ねじ端子部２Ｂの下端面２Ｂ’の隅部（ねじ端子部２Ｃの隅部との段差部）に係合爪８ｄと係合可能な係合凹部２ｉが形成されている。また、ケース１の下面１ｄのねじ端子部２Ｂの側の隅部には係止レバー８のレバー８ａと係合可能な略直角形状を成すストッパ１ｉが一体に形成されている。
【００５５】
上端部（一側端部）の係止レバー７は、図１３に示すように棒状をなし、前記取付け穴の端子ブロック２のねじ端子部２Ｃ側に設けられている。そして、基端部７ａが前記取付け穴の開口端部にねじ端子部２Ｃの上端面２Ｃ’に沿って回動可能に支持されており、先端部に図１０に示すように係合爪７ｂがねじ端子部２Ｃの上端面２Ｃ’に臨んで形成されている。一方、ねじ端子部２Ｃの上端面２Ｃ’の略中央に係合爪７ｂと係合可能な係合凹部２ｊが形成されている。
【００５６】
ケース１に端子ブロック２を取付ける場合、図１１に示す係止レバー７，８を前記取付け穴の上下の開口端面に沿って回動させた状態にする。次いで、ケース１の取付け穴に端子ブロック２のスロット部を挿入してねじ端子部２Ｂ及びねじ端子部２Ｃのスロット部側の端面を前記取付け穴の周縁部に当接する。
【００５７】
次いで、係止レバー８を回動させて図１１及び図１２に示すようにレバー８ｂの係合爪８ｄをねじ端子部２Ｂの下端面２Ｂ'の係合凹部２ｉに係合する。このときレバー８ｂが弾性力により僅かに湾曲し係合爪８ｄが下端面２Ｂ’を摺動しながら回動する。この係合状態において係止レバー８のレバー８ａは図１２に示すようにケース１のストッパ１ｉに係止されて回動を規制される。これにより、係止爪８ｄが係合凹部２ｉから外れることが防止される。
【００５８】
次いで、係止レバー７を回動させてその係止爪７ｂをねじ端子部２Ｃの上端面２Ｃ’の略中央に形成されている係合凹部２ｊに係合させる。このときレバー７が弾性力により僅かに湾曲して係止爪７ｂが上端面２Ｃ’を摺動しながら回動する。これにより、図１０に示すようにケース１に端子ブロック２を簡単に固定することができる。
【００５９】
ケース１から端子ブロック２を取り外す場合は、上述と反対方向に係止レバー７，８を回動させて端子ブロック２との係合を解除する。これにより、ケース１から端子ブロック２を簡単に取り外すことができる。
【００６０】
以上説明したように本発明によれば、ケースと端子ブロックとの着脱の際に工具を使用する必要が無く、しかも一回の操作（１アクション）で行うことが可能であり、作業性の向上が図られる。また、ケース側は、端子ブロックを固定するために必要なスペースが係止レバー部のみであるためデッドスペースが少なくなり、表示スペース等を広く取ることが可能となる。
【００６１】
また、係合レバーの一側端部にケースの係合孔に係合する係止爪を形成し、略中央部を前記係止爪を係合孔に係合させるためのばね力を有して回動可能に支持し、他側端部に前記ばね力に抗して前記係止爪と係合孔との係合を解除する係合解除部を形成する。これにより、ケースに端子ブロックを取り付けた状態において係合レバーの係止爪がばね力によりケースの係合孔に係合する。係止爪と係合孔との係合を解除する場合には係合レバーの係合解除部をばね力に抗して押動することにより、係止爪が係合孔から外れて係合が解除される。これにより、ケースと端子ブロックとの係合が簡単に解除される。
【００６２】
また、端子ブロックの両端部の端面の先端に着脱可能に係止する係止爪を前記ケースの両端部にそれぞれ設け、係止爪の基端部は、該係止爪が端子ブロックの両端部の端面に当接又は離間可能にケースの端部に回動支持され、先端部が端子ブロックの端面の先端に係止可能とする。ケースに端子ブロックを取り付ける場合、ケースの両端部の係止爪を端子ブロックの両端部の端面に近接するように回動させて先端部を端子ブロックの端面の先端に係止する。これにより、ケースに端子ブロックを取り付けることができる。
【００６３】
また、ケースから端子ブロックを取り外す場合、ケースの両端部の係止爪を端子ブロックの両端面から離間するように回動させて端子ブロックの端面の先端から離隔させて係合を解除する。これにより、ケースから端子ブロックを取り外すことができる。
【００６４】
また、端子ブロックの両端面に着脱可能に係止する係止レバーを前記ケースの両端部にそれぞれ設け、前記端子ブロックの両端面に前記係止レバーと係合する係合部を形成する。ケースに端子ブロックを取り付ける場合、ケースの両端部の係止レバーを端子ブロックの両端面に設けた係合部に係合させてケースに端子ブロックを取り付ける。ケースから端子ブロックを取り外す場合、ケースの両端部の係止レバーと端子ブロックの両端面の係合部との係合を解除する。これにより、ケースから端子ブロックを取り外すことができる。
【００６５】
また、ケースの一側端部に設けられた係止レバーの先端部に端子ブロックの一側端面に形成された係合凹部に係合する係止爪を形成し、基端部を係止爪を端子ブロックの一側端面に沿って回動可能とするように支持し、ケースの他側端部に設けられた係止レバーの先端部に端子ブロックの他側端面に形成された係合凹部に係合する係止爪を形成し、略中央部を係止爪が端子ブロックの端面に沿って回動可能に支持し、基端部をケースに形成されたストッパにより係止爪が係合凹部に係合した状態に保持する。
【００６６】
そして、ケースに端子ブロックを取り付ける場合、ケースの一側端部に設けられた係止レバーを回動させて端子ブロックの一側端面に形成されている係合凹部に係合させる。また、ケースの他側端部に設けられた係止レバーを回動させて端子ブロックの他側端面に形成されている係合凹部に係合させる。この状態において、係止レバーの基端部がケースのストッパにより係止位置に規制され、係止爪が係合凹部から外れることが防止される。
【００６７】
ケースから端子ブロックを取り外す場合、ケースの一側端部に設けられた係止レバーを取り付け時と反対方向に回動させて先端部の係止爪と端子ブロックの一側端面の係合凹部との係合を解除させる。同様にケースの他側端部に設けられた係止レバーを取付け時と反対方向に回動させて、係止爪と端子ブロックの他側端面の係合凹部との係合を解除する。
【００６８】
また、電気回路が設けられた基板を収容したケースと、複数の端子を搭載し着脱自在な端子ブロックと、端子ブロックをケースに装着した際、端子ブロックの複数の端子とケース内の基板の電気回路との電気的接続を可能とするためにケースに設けられた取付け穴と、端子ブロック及び取付け穴の互いに対応する一端にそれぞれ第１の係合部を有し、他端にそれぞれ第２の係合部を有し、第１の係合部は、端子ブロック及び取付け穴のそれぞれに固定的に形成された形状部分同士が機械的に干渉することで係合し、第２の係合部は、端子ブロック及び取付け穴のいずれか一方に可動的に形成された形状部分が、他方に固定的に形成された形状部分に機械的に干渉することで係合させる。
【００６９】
ケースに端子ブロックを取り付ける場合には、第１の係合部の端子ブロック及び取付け穴のそれぞれに固定的に形成された形状部分同士を機械的に干渉させてケースの一端に端子ブロックの一端を係合させる。次いで、第２の係合部の端子ブロック及び取付け穴のいずれか一方に可動的に形成された形状部分を、他方に固定的に形成された形状部分に機械的に干渉させて係合する。これにより、ケースに端子ブロックを装着することができ、ケース内に収容されている基板の端子に端子ブロックの端子を電気的に接続することができる。
【００７０】
ケースから端子ブロックを取外す場合には、第２の係合部の可動的に形成された形状部分を動かすことによって第２の係合部の係合を解除した後、第１の係合部の係合を解除可能する。これにより、ケースから端子ブロックを取り外すことができ、ケース内に収容されている基板の端子と端子ブロックの端子との電気的な接続を解除することができる。
【図面の簡単な説明】
【００７１】
【図１】本発明に係るケースと端子ブロックの着脱構造の本発明に関連する実施形態を適用したケースと端子ブロックの取付部の側面図である。
【図２】図１に示したケースと端子ブロックの右側面図である。
【図３】図１に示した端子ブロックの係止レバーの拡大図である。
【図４】図１に示したケースに端子ブロックを取り付ける場合の説明図である。
【図５】図４に示した端子ブロックの係合部凸部の変形例であって、本発明の第１の実施形態を示す説明図である。
【図６】図４に示したケースの係合凹部の変形例であって、本発明の第１の実施形態の変形例を示す説明図である。
【図７】本発明に係るケースと端子ブロックの着脱構造の第２の実施形態を適用したケースと端子ブロックの取付部の側面図である。
【図８】図７に示したケースと端子ブロックの取付部を斜め下方から見た斜視図である。
【図９】図８に示した取付部によりケースに端子ブロックを取り付けた状態の説明図である。
【図１０】本発明に係るケースと端子ブロックの着脱構造に関連する実施形態を適用したケースと端子ブロックの取付部の側面図である。
【図１１】図１０に示したケースと端子ブロックの取付部を斜め下方から見た斜視図である。
【図１２】図１１に示した取付部によりケースに端子ブロックを取り付けた状態の説明図である。
【図１３】図１０に示したケースと端子ブロックの取付部を上方から見た図である。
【符号の説明】
【００７２】
１    ケース
１ａ    端面
１ｂ    取付け穴
１ｂ’    取付け穴の上部
１ｄ    下面
１ｅ    取付け穴の上面
１ｆ    係合凹部
１ｇ    係合孔
１ｈ    切込み部（スリット）
１ｉ    ストッパ
１Ｅ    支持部
２    端子ブロック
２Ａ    スロット部
２Ｂ    ねじ端子部
２Ｂ’    下端面
２Ｂ”    先端
２Ｃ    ねじ端子部
２Ｃ’    上端面
２Ｃ”    先端
２ｂ，２ｃ    ねじ端子
２ｄ    スロット部の下面
２Ｄ    下面
２Ｅ，２Ｆ    軸受部
２ｅ    スロット部の上端面
２ｆ    係合凸部
２ｈ    切込み部（スリット）
２ｉ    係合凹部
２ｊ    係合凹部
３    係合レバー
３ａ    係止爪
３ｂ    係合解除部
３ｃ    係止爪の上面
３ｄ    係止爪の後端面
４    軸
５    係止爪
５ｂ    係止爪部
６    係止爪
６ａ    基端部
６ｂ    係止爪部
７    係止レバー
７ａ    基端部
７ｂ    係止爪
８    係止レバー
８ａ    レバー
８ｂ    レバー
８ｃ    軸受部
８ｄ    係合爪
【図１】
0005065096.tif 000002
【図２】
0005065096.tif 000003
【図３】
0005065096.tif 000004
【図４】
0005065096.tif 000005
【図５】
0005065096.tif 000006
【図６】
0005065096.tif 000007
【図７】
0005065096.tif 000008
【図８】
0005065096.tif 000009
【図９】
0005065096.tif 000010
【図１０】
0005065096.tif 000011
【図１１】
0005065096.tif 000012
【図１２】
0005065096.tif 000013
【図１３】
0005065096.tif 000014